(57)【特許請求の範囲】
【請求項１】
電子端末装置を支持する端末受け台と、該端末受け台の前面と２側面とを被覆する側面部カバーと、から成り、外付けＡＣ／ＤＣアダプタを備えたクレードルであって、
前記側面部カバーは前記端末受け台に対し前記側面部カバーの前部が前記端末受け台の前面から離接する方向に摺動可能に前記端末受け台に係合し、
前記側部カバーは、その前記前部が前記端末受け台の前記前面から離隔する方向に摺動したとき、前記前部の内壁と前記端末受け台の前記前面との間に前記外付けＡＣ／ＤＣアダプタとＤＣ電源給電配線とを収納可能な拡張収納空間を形成する、
ことを特徴とするクレードル。
【請求項２】
前記端末受け台は、後面と前記２側面と端末受け部とで形成される内部に、外部周辺機器の接続用配線が接続されるコネクタを有する、ことを特徴とする請求項１記載のクレードル。
【請求項３】
前記側面部カバーは、前記拡張収納空間に収納された前記外付けＡＣ／ＤＣアダプタとＤＣ電源給電配線とを脱落防止のために、保持するための固定部材を備えている、ことを特徴とする請求項１記載のクレードル。
【請求項４】
前記側面部カバーは、前記拡張収納空間に収納された前記外付けＡＣ／ＤＣアダプタのＡＣ電源受電用コネクタに対応する位置に、外部からのＡＣ電源受電配線のプラグを差し込むためのプラグ挿入孔が設けられている、ことを特徴とする請求項１、３記載のクレードル。
【請求項５】
前記端末受け台は、電子端末装置を載置する載置部と、前記載置部の側方に設けられ上部にカード挿入スライド溝を有するカード案内部と、から成り、前記カード挿入スライド溝は、前記電子端末装置のカード読み取りの際のカード挿入および読み取り方向へのスライドを安定させるための案内溝と、前記案内溝に平行して形成された飾り溝を備えている、ことを特徴とする請求項１、２記載のクレードル。
【発明の詳細な説明】
【技術分野】
【０００１】
本発明は、クレードルに係わり、更に詳しくは、使用中の小型電子端末装置を載置した受け台内部に外付けＡＣ／ ＤＣアダプタをＤＣ電源給電配線と共に目立たないように収納する拡張収納部を備え、加えて外観上の傷や汚れを目立たない様にする飾りを備えたクレードルに関する。
【背景技術】
【０００２】
従来、携帯電話、デジタルカメラ、或いは接客窓口用小型データ入力器などの携帯型電子機器が内蔵する電源電池を充電するために、クレードルと称する受け台に携帯型電子機器を載置すると、受け台と携帯型電子機器が電気的に接続されるように構成したものが知られている。
【０００３】
もっとも、受け台そのものに充電機能があるわけではなく、屋内の商業用電源（コンセント）に接続したＡＣ／ＤＣアダプタのＤＣ出力端子と携帯電子機器の充電用電極とを接続する中継機能を受け台に持たせただけのものが一般的な形態である。
【０００４】
その場合、携帯型電子機器等の電子端末が正しい位置でかつ正しい姿勢でなければ電子端末を載置・装着できないようにして、電気的接続部の破損、変形等を防止し、電気的接続不良を防止できる端末置き台（クレードル）を得るとする提案がなされている（例えば、特許文献１参照）。
【先行技術文献】
【特許文献】
【０００５】
【特許文献１】特開２００４−３１０１５８号公報
【発明の概要】
【発明が解決しようとする課題】
【０００６】
しかしながら、特許文献１の従来技術は、電子端末を正しい位置でかつ正しい姿勢に保つとはいっているものの、電気的接続中継機能を持つクレードルに必須な付属機器であるＡＣ／ＤＣアダプタについての記載が全く無い。
【０００７】
図８は、従来多く見られる電気的接続中継機能を持つクレードル（以下、単にクレードルという）と外付け型のＡＣ／ＤＣアダプタとの接続状態を示す斜視図である。同図に示すように、クレードル１は、ＡＣ／ＤＣアダプタ２と共に机上３に置かれている。
【０００８】
ＡＣ／ＤＣアダプタ２のＡＣ電源受電配線４の図外の端部にある二股プラグは、近傍の屋内商業用配線のコンセントに差し込まれ、ＡＣ／ＤＣアダプタ２のＤＣ電源給電配線５の端部の図では陰になって見えないピン式プラグは、クレードル１のこれも図では陰になって見えないピン式ジャックに差し込まれている。
【０００９】
銀行や百貨店等の顧客と対面して業務を行う接客窓口で、クレードル１に載置した図示を省略したデータ入力用電子機器を操作しながら接客する接客窓口業務員（以下、単に店員という）は、先ず第１に、操作しているデータ入力用電子機器が、顧客に疑問を抱かせるような機器でないことを示すため顧客の目前で操作しなければならない。
【００１０】
次に、店員にとっては、接客窓口業務として顧客からの信頼を得ることが何よりも必要な事柄であるとされているから、顧客の目に触れる範囲にあるものは何物であれ、整頓されていて且つ汚れも無い状態に保つ必要がある。
【００１１】
したがって、図８のように、クレードル１が机上３に斜めの状態で置かれることは接客窓口の机上３の状態としては許されないことであることは言うまでもないが、それ以上にＡＣ／ＤＣアダプタ２が机上に放置状態で置かれていることは論外であるといえる。
【００１２】
接客窓口の机上３の幅や奥行きは一般的に狭いから、データ入力用電子機器を載置したクレードル１の他に、ＡＣ／ＤＣアダプタ２をたとえ顧客の目の届かない衝立等の陰に置いたとしても、机上が狭くなって店員の実務に支障を来たす。
【００１３】
そこで、通常は、クレードル１から伸び出しているＤＣ電源給電配線５を机上３から脇方向へ垂らして、ＤＣ電源給電配線５の余剰長さ分ともどもＡＣ／ＤＣアダプタ２を机上３から除去する。
【００１４】
一般的に、机上３の面から床面までの高さよりもＤＣ電源給電配線５の長さの方が十分に長いから、机上３から除去されたＡＣ／ＤＣアダプタ２は床面に置かれた状態となる。ところが、店員は窓口と管理室との間を行き来することが多いから、床面に置かれた状態のＡＣ／ＤＣアダプタ２を誤ってしばしば足に引っ掛ける。
【００１５】
店員の足に引っ掛かったＡＣ／ＤＣアダプタ２にＤＣ電源給電配線５が引っ張られ更にクレードル１まで引っ張られて、顧客の目前で机上３を移動したりすると、顧客の目には誠に見苦しいことになる。また、場合によっては、机上３からクレードル１が落下し破損したりすることもあることから、店員は床面に置かれた状態のＡＣ／ＤＣアダプタ２には細心の注意を払う必要があり事務の能率にも影響する。
【００１６】
ところで、一般にクレードルの受け台に載せられるデータ入力用電子機器では、顧客のカードを読み取るための読み取りヘッドが内蔵され、この読み取りヘッドにカードを案内するためのカードスライド溝が設けられている。
【００１７】
データ入力用電子機器で顧客のカードを読み取るときは当然のことながら読み取り作業は顧客の目の前で行われる。ところで、カードがカードスライド溝を出し入れされることが経時的に繰り返されているうちに、カードスライド溝から外側にある受け台の表面に傷や汚れが発生する。
【００１８】
傷はクレードルを新品と交換しないかぎり無くならないが、カードで付いた傷程度でクレードルを新品と交換することはできない。ところで、傷と共に付いた汚れは傷が邪魔となって中々汚れがおちにくい。
【００１９】
ところが、カードスライド溝から外側にある受け台の表面は、最も顧客に目に触れやすい部分である。このような箇所に傷や汚れや目立つと、顧客の目には、あたかも使い古しのクレードルを磨いて使っているように見える。実際にはそうであっても、十分使用できるクレードルを新品に変えるのは業務上無益なことである。そうは言っても顧客に不快感を与える状態を無視することも出来ない。
【００２０】
本発明は、使用中の小型電子端末装置を載置した受け台内部に、交換が容易なＡＣ／ＤＣアダプタをＤＣ電源給電配線と共に目立たないように収納する全長の調整可能な拡張収納部を備え、加えて外観上の傷や汚れを目立たない様にする飾りを備えたクレードルを提供することが目的とする。
【課題を解決するための手段】
【００２１】
上記の課題を解決するために、本発明のクレードルは、電子端末装置を支持する端末受け台と、該端末受け台の前面と２側面とを被覆する側面部カバーと、から成り、外付けＡＣ／ＤＣアダプタを備えたクレードルであって、上記側面部カバーは上記端末受け台に対し上記側面部カバーの前部が上記端末受け台の前面から離接する方向に摺動可能に上記端末受け台に係合し、上記側部カバーは、その上記前部が上記端末受け台の上記前面から離隔する方向に摺動したとき、上記前部の内壁と上記端末受け台の上記前面との間に上記外付けＡＣ／ＤＣアダプタとＤＣ電源給電配線とを収納可能な拡張収納空間を形成する、ように構成される。
【００２２】
上記端末受け台は、例えば、後面と上記２側面と端末受け部とで形成される内部に、外部周辺機器の接続用配線が接続されるコネクタを有する、ように構成される。
また、上記側面部カバーは、例えば、上記拡張収納空間に収納された上記外付けＡＣ／ＤＣアダプタとＤＣ電源給電配線とを脱落防止のために、保持するための固定部材を備えている、ように構成される。
【００２３】
更に上記側面部カバーは、例えば、上記拡張収納空間に収納された上記外付けＡＣ／ＤＣアダプタのＡＣ電源受電用コネクタに対応する位置に、外部からのＡＣ電源受電配線のプラグを差し込むためのプラグ挿入孔が設けられている、ように構成される。
【００２４】
更に、上記端末受け台は、例えば、電子端末装置を載置する載置部と、上記載置部の側方に設けられ上部にカード挿入スライド溝を有するカード案内部と、から成り、上記カード挿入スライド溝は、上記電子端末装置のカード読み取りの際のカード挿入および読み取り方向へのスライドを安定させるための案内溝と、上記案内溝に平行して形成された飾り溝を備えている、ように構成される。
【発明の効果】
【００２５】
本発明は、使用中の小型電子端末装置を載置した受け台内部にＡＣ／ＤＣアダプタを、折り畳んだＤＣ電源給電配線と共に目立たないように収納する拡張収納部を備え、加えて外観上の傷や汚れをが目立たない様にする飾りを備えたクレードルを提供することが可能となる。
【図面の簡単な説明】
【００２６】
【図１】(a)は本発明の実施例１に係るクレードルの上部の外観形状を示す斜視図、(b)はその側面図である。
【図２】実施例１に係るクレードルの端末受け台に載置して用いられる電子端末装置の例を示す外観斜視図である。
【図３】実施例１に係るクレードルを電子端末装置と電気的に接続する接続電極の配置を見やすいように前方から見下ろした斜視図である。
【図４】(a)は実施例１に係るクレードルの図１(b)の図を再掲した図、(b)は(a)の側面部カバーを端末受け台の前方へ引き出した図、(c)は側面部カバーの外部からのＡＣ電源受電配線のメス型プラグを差し込むためのプラグ挿入孔から外した蓋の表面斜視図、(d)はその裏面斜視図である。
【図５】実施例１に係る図４(b)の状態のクレードルを裏返して拡張収納空間と端末受け台内部に配置されている各種複数の接続コネクタを示す図である。
【図６】実施例１に係るクレードルを裏返して外付けＡＣ／ＤＣアダプタと折り畳んだ状態のＤＣ電源給電配線とが拡張収納空間に収納された状態を示す図である。
【図７】実施例１に係るクレードルとその端末受け台に載置された電子端末装置とそのカード挿入スライド溝に挿入されたカードとを示す図である。
【図８】従来多く見られる電気的接続中継機能を持つクレードルと外付けＡＣ／ＤＣアダプタとの接続状態を示す斜視図である。
【発明を実施するための形態】
【００２７】
以下、本発明の実施の形態について、詳細に説明する。
【実施例１】
【００２８】
図１(a)は本発明の実施例１に係るクレードルの上部の外観形状を示す斜視図であり、図１(b)はその側面図である。図１(a),(b)に示すように、本例のクレードル１０は、電子端末装置等が載置される端末受け台を形成している内側本体１１と、この内側本体１１の前面１２と２つの側面１３（図で手前側の側面１３のみが見え向こう側の側面１３は見えない）を被覆する側面部カバー１４とで構成されている。
【００２９】
また、このクレードル１０は、詳しくは後述するが、従来図（図８）に示したような外付けＡＣ／ＤＣアダプタを備えている。外付けＡＣ／ＤＣアダプタは、故障した際にはユーザが市販の規格品を購入して直ちに使用できるのでユーザが安心感を持って使用できる。また、クレードル本体を分解しないと交換できない内蔵のＡＣ／ＤＣアダプタよりも使い勝手が良い点で便利である。
【００３０】
また、このクレードル１０は、これも詳しくは後述するが、端末受け台に載置された電子端末装置のカード読み取りの際のカード挿入および読み取り方向へのスライドを安定させるための案内溝と、この案内溝の傷や汚れを目立たなくするために案内溝に平行して形成された飾り溝を備えている。
【００３１】
このクレードル１０の側面部カバー１４は、図の矢印ａで示すように、内側本体１１の前面１２から離れる方向に引き出すことができる。図１(a),(b)は、側面部カバー１４が引き出し位置から押し込まれた状態を示している。この状態でも、内側本体１１の上に電子端末装置を載せて使用することができる。
【００３２】
図１(a),(b)に示すように、内側本体１１の上面には、載置する電子端末装置の下面の形状に合わせて傾斜や段差のある載置部１５（前方載置部１５ａ、中央載置部１５ｂ、後方載置部１５ｃ）が形成されている。
【００３３】
前方載置部１５ａは前下がりの傾斜面を形成し、左右をカード案内部１６に囲まれている。カード案内部１６の上面には、詳しくは後述するが、２本のリブによるカード案内溝１７と、このカード案内溝１７の前後にカード案内溝１７に平行して形成されたそれぞれ１本のリブと上記２本のリブの外側とで形成される飾り溝１８が設けられている。
【００３４】
前方載置部１５ａの内側両側端には、カード案内部１６の内側面に近接する位置で、電子端末装置の両側下面に当接して電子端末装置の上下位置を位置決めする立設型位置決め板１９が配置されている。立設型位置決め板１９の前部近傍には、両側のカード案内部１６の内側面からそれぞれ前方載置部１５ａの中央方向に張り出して電子端末装置の前方位置を位置決めする張出型位置決め板２１が配置されている。
【００３５】
中央載置部１５ｂは、前方載置部１５ａの傾斜面の最上（前）部に連続してやや緩やか傾斜面を形成し、前方載置部１５ａの位置決め板１９の後方延長線上に、電子端末装置の上下位置を位置決めする位置決めリブ２２がそれぞれ配置され、それら位置決めリブ２２よりも内側に位置決めリブ２２に平行して位置決めリブ２２よりも低く、それぞれ載置部補強凸条２３が形成されている。
【００３６】
中央載置部１５ｂの位置決めリブ２２よりも外側は、内側面のほぼ全側面２５ａに渡って凹部２４を形成する囲い壁２５が形成されている。凹部２４は、クレードル１０に電子端末装置が載置されたとき、その両脇に人の指先を差し入れるに足る十分は空間を形成する。
【００３７】
また、右側面の凹部２４は、電子端末装置の持ち部と、電子端末装置のストラップ逃げ部を兼ねている。凹部２４の下方は中央載置部１５ｂの傾斜した載置面よりも更に下方にえぐれた凹部を形成している。
【００３８】
後方載置部１５ｃは、中央載置部１５ｂの傾斜面の最下（後）部に連続するほぼ水平な載置面を形成している。載置面の両側端部には、中央載置部１５ｂの位置決めリブ２２の後方延長線上に、電子端末装置の後部の上下位置を位置決めする位置決めリブ２６がそれぞれ配置されている。
【００３９】
後方載置部１５ｃの左側の位置決めリブ２６の内側に近接する位置にはリセット用孔２７が形成されている。後方載置部１５ｃの位置決めリブ２６よりも外側面と後方面は、横囲い壁２８とこれに連続する後囲い壁２９とで囲繞されている。
【００４０】
横囲い壁２８には横外方向にえぐれた凹部３１が形成され、後囲い壁２９の両側端には下方にえぐれた凹部３２が形成されている。これら凹部３１と凹部３２とが連設されて後部ストラップ逃げ部３３を形成している。
【００４１】
後囲い壁２９の内側面には、５個のバネ性の電極端子３４が配設されている（図１では５個の内両端の２個のみが見え、中央の３個は後囲い壁２９の陰になって見えない）。図３参照。
【００４２】
また、内側本体１１の底面は、前部には滑り止め部材３５ａを巻きつけられた上向きコの字形の棒状体から成る滑り止め前脚３５が配置され、中央両脇には、側面部カバー１４の前後への摺動長孔を案内する案内ネジ３６が配置され、後部両脇には、それぞれゴム状体からなる半球状の滑り止め後脚３７が配置されている。滑り止め後脚３７の後部には、滑り止め後脚３７の保持板を内側本体１１の底部に固定する止めネジ３９が配設されている。
【００４３】
また、側面部カバー１４の前方右側面にはプラグ孔蓋３８が配置されている。図１(b)では右側面図のため見えないが、左側面にも同様のプラグ孔蓋３８が配置されている。このプラグ孔蓋３８は、後述するプラグ挿入孔が未使用のときにプラグ挿入孔を外部から保護する蓋である。
【００４４】
図２は、上記構成のクレードル１０に載置されてデータの入出力操作が行われる携帯型の電子端末装置の例を示す外観斜視図である。同図に示す電子端末装置（以下、単に端末という）４０は、上面前方に液晶等の情報を表示する表示画面４１とを備え、その上面後方に多数のデータ入力キー４２を備えている。
【００４５】
また、端末４０の前方には左右にわたって上面から下方に深く切り込まれたカード挿入スライド溝５０が形成されている。また、端末４０の右側面には前後２箇所にストラップ孔４３が形成されている。
【００４６】
そして、端末４０の後面には、両側にそれぞれ位置決め係合穴４４が形成され、それら２個の位置決め係合穴４４の間に並んで、図１に示したバネ性の電極端子３４と接続するための５個の端末側電極端子４５が配置されている。
【００４７】
図３は、上述した構成のクレードル１０を、端末４０の端末側電極端子４５と電気的に接続するバネ性電極端子３４の配置を見やすいようにクレードル１０を前方から見下ろした斜視図である。なお、図３には図１と同一構成部分には図１と同一の番号を付与して示している。
【００４８】
図３に示すように、クレードル１０の内側本体１１の後方載置部１５ｃを囲繞する後方の後囲い壁２９の内面には、図２に示した端末４０の後面の５個の端末側電極端子４５に接続する５個のバネ性電極端子３４が配設されている。
【００４９】
それら５個のバネ性電極端子３４の両脇には、端末４０の後面の２個の位置決め係合穴４４に係合する２個の位置決め係合突部４６が配設さている。更に２個の位置決め係合突部４６の外側に並んで、それぞれ端末４０の後端を位置決めする後端位置決めリブ４７が配置されている。
【００５０】
そして、後囲い壁２９の内面下部両側部には、抜き孔４８が形成されている。この抜き孔４８は、顧客などによって誤って零れ落とされたお茶などの液体を迅速に外部に排出するために設けられている。なお、内側本体１１のその他の構成は図１と同様である。
【００５１】
図４(a)は、上記構成のクレードル１０の図１(b)に示した図を再掲した図、図４(b)は同図(a)の側面部カバー１４を端末受け台（内側本体１１）の前方へ引き出した図、同図(c)はプラグ孔蓋３８の表面斜視図、(d)はその裏面斜視図である。
【００５２】
プラグ孔蓋３８は、側面部カバー１４を図４(a)の矢印ａで示す前方に引き出したとき内部に形成される拡張収納空間に収納されるＡＣ／ＤＣアダプタに、外部からＡＣ電源受電配線のメス型プラグを差し込むための図４(b)に示すプラグ挿入孔４９が図４(a)のように未使用のとき、プラグ挿入孔４９を外部から保護するためにプラグ挿入孔４９にはめ込まれる。
【００５３】
プラグ孔蓋３８をプラグ挿入孔４９にはめ込むときは、先ず、プラグ孔蓋３８の裏面上端部にあるフック３８ａをプラグ挿入孔４９に差し込んでプラグ挿入孔４９の上縁４９ａに下から引っ掛ける。
【００５４】
次に、プラグ孔蓋３８の表面下端部３８ｂを強く押し込むと、プラグ孔蓋３８の裏面下端部に設けられている屈曲バネ３８ｃがプラグ挿入孔４９の下縁４９ｂに摺接しながら上方に押し曲げられてプラグ挿入孔４９に入り込む。
【００５５】
更に屈曲バネ３８ｃの先端に一体に配設されたフック３８ｄが、プラグ挿入孔４９の下縁４９ｂ摺接して押し上げられて下縁４９ｂより内側に入り込んで下に撥ね下がる。これにより、フック３８ｄが下縁４９ｂの内側に係合して、プラグ孔蓋３８がプラグ挿入孔４９に係止する。
【００５６】
プラグ孔蓋３８をプラグ挿入孔４９から外すときは、側面部カバー１４の下方から指を差し入る（図で説明するため便宜上このまま説明を進めるが実際はクレードル１０を上下反転させて以下の処理を行う）。
【００５７】
側面部カバー１４の下方から差し入れた指先でプラグ孔蓋３８の屈曲バネ３８ｃを強く押し上げながら装置本体外側へ押し出すようにする。これで、屈曲バネ３８ｃの先端のフック３８ｄがプラグ挿入孔４９の下縁４９ｂから外れて、プラグ孔蓋３８がプラグ挿入孔４９から離脱する。
【００５８】
図５は、上記構成のクレードル１０の図４(b)に示す側面部カバー１４を内側本体１１の前方へ引き出した状態においてクレードル１０を裏返して内部に形成された拡張収納空間と元々内部に配置されている各種複数の接続コネクタを示す図である。
【００５９】
なお、図５には図１、図３、又は図４に示した構成と同一の構成部分には、図１、図３、又は図４と同一に番号を付与して示している。また、図５は図の手前がクレードル１０の前方部であり、図の向こう側がクレードル１０の後方部である。また、図５には、滑り止め前脚３５の図示を省略している。
【００６０】
図５に示す側面部カバー１４は、両側端部に摺動長孔５１を備えている。この摺動長孔５１に、内側本体１１の裏面にネジ込まれて位置固定された案内ネジ３６がワッシャ５２を介装されて貫通している。これにより、側面部カバー１４は内側本体１１に対し摺動長孔５１の長さの範囲で案内ネジ３６に案内され、前後に摺動可能である。
【００６１】
図５のように側面部カバー１４を内側本体１１の前方へ引き出した状態で、側面部カバー１４の前部５３の内壁５３ａと内側本体１１の前面（内側本体１１の前面は壁無しの開口部である）との間に、所定の広さの拡張収納空間５４が形成されている。この拡張収納空間５４の使用方法は後述する。
【００６２】
また、図５に示すように、内側本体１１の後方底（下）面には、前述した滑り止め後脚３７が配置され、最後端部には２個の抜き孔５５が形成されている。これら２個の抜き孔５５は図３に示した２個の抜き孔４８にそれぞれ連通している。
【００６３】
また、内側本体１１の後方底面の滑り止め後脚３７よりも前方には内部の装置をメンテナンスするための開口部を保護する被覆板５６が配設されている。被覆板５６には内部の止め部材に被覆板５６を固定するための３個のビス孔５７が形成されている。同図はビス５７を取り除いた状態を示している。
【００６４】
被覆板５６より前方の内部は立設する隔壁５８によって前部開口との間に空間が形成されている。但しにこの空間には、図に示す各種のコネクタに接続される後述する配線と配線接続部によって専有され、他の部材が入り込む余地はない。
【００６５】
上述した拡張収納空間５４は、他の部材を収納するために、内側本体１１の前面開口部と側面部カバー１４の前部５３の内壁５３ａとの間に形成されたものである。
上記の隔壁５８には、２個のＲＳ２３２Ｃ規格に準じた受け側コネクタ５９、ＬＡＮケーブル接続用のＲＪ−４５規格のＬＡＮポート６１、ＵＳＢ規格の２個のＵＳＢ受け側コネクタ６２、ＤＣ電源配線接続用のピンプラグコンセント６３が配置されている。
【００６６】
また、両側面（図の右側の側面は陰になって見えない）には、上下の保持部材６４に挟持されて、図４(c),(d)に示したプラグ挿入孔４９から取り外されたプラグ孔蓋３８が格納されている。
【００６７】
図６は、図５の裏返したクレードル１０を後方から見下ろした斜視図であり、外付けＡＣ／ＤＣアダプタと折り畳んだ状態のＤＣ電源給電配線とが拡張収納空間５４に収納された状態を示す図である。なお、図６には図１、図３〜図５に示し構成と同一構成部分には、図１、図３〜図５に示した番号と同一の番号を付与して示している。
【００６８】
図６には、案内ネジ３６と摺動長孔５１の他に側面部カバー１４の摺動を案内するレール６５も示している。また、内側本体１１の図６では底部に見える天井板６６には、２本の補強リブ６７が形成されている。また、側面部カバー１４には、拡張収納空間５４の内部が外から見えないようにスライドカバー６８が配設されている。
【００６９】
拡張収納空間５４には、外付けＡＣ／ＤＣアダプタ６９と折り畳んだＤＣ電源給電配線７１（図では見た目に煩雑であると考えて単なるブロックで示している）とが、拡張収納空間５４の上下から引き出される例えばマジックテープ（登録商標）等の固定用部材７２で固定されて収容される。
【００７０】
これら外付けＡＣ／ＤＣアダプタ６９と折り畳んだ状態のＤＣ電源給電配線７１とが収納された拡張収納空間５４と隔壁５８との間の空間には、図５で示したＲＳ２３２Ｃ受け側コネクタ５９、ＬＡＮポート６１、ＵＳＢ受け側コネクタ６２、ピンプラグコンセント６３等に接続された差込側コネクタ７３（７３ａ、７３ｂ、７３ｃ、７３ｄ、その他は図示省略）が配設される。
【００７１】
また、それら差込側コネクタ７３から外部に引き出される前の配線７４（７４ａ、７４ｂ、その他は図示省略）が残りの空間内を引き回されている。特には図示しないが、配線７４は、机上とクレードル１０の前方側面の下部との間隙から外部に引き出されている。このように、拡張収納空間５４と隔壁５８との間は、必要最小限の部材で埋め尽くされ、他の部材が入り込む余地は全く無い。
【００７２】
また、外付けＡＣ／ＤＣアダプタ６９への外部配線であるＡＣ電源給電配線７５の差込側メス型コネクタ７６は、図４に示すプラグ孔蓋３８を取り外したプラグ挿入孔４９に挿入され、外付けＡＣ／ＤＣアダプタ６９の図では隠れて見えない受け側オス型ジャックに差し込まれている。
【００７３】
このクレードル１０を机上に置いたとき、クレードル１０から外に引き出されるのは配線だけで、外付けＡＣ／ＤＣアダプタ６９は机上には姿を現さないので、顧客からの見た目には、机上が整頓されているように見える。
【００７４】
また、外付けＡＣ／ＤＣアダプタ６９が床に置かれることもないので、過って足に引っ掛かって、電源が抜け落ちたり、クレードル１０が机上を大きく移動して、何事かと店員の不注意ぶりを眼前の顧客から訝られ窓口への信頼感を失わせるということもない。
【００７５】
図７は、上記構成のクレードル１０とその端末受け台である内側本体１１に載置された端末４０とそのカード挿入スライド溝５０に挿入されたカードとを示す図である。なお、同図には説明上必要な部分に対してのみ、図１及び図２と同様な番号を付与して示している。
【００７６】
なお、図７に示す端末４０のストラップ孔４３にはストラップは取り付けられていない。したがって、端末４０の持ち部とストラップ逃げ部を兼ねている凹部２４と後部ストラップ逃げ部３３は空いたままになっている。
【００７７】
図７において、いま端末４０のカード挿入スライド溝５０に、左側端部からカード７７が差し込まれようとしている。なお、同図にはカード７７をスライド操作する店員やその指の図示は省略されている。
【００７８】
同図に示すカード挿入スライド溝５０へのカード７７を差し込む初期の状態において、カード挿入スライド溝５０の底部左右の延長線上に、クレードル１０のカード案内部１６上面には、図１にも示したように２本のリブ７８によるカード案内溝１７が形成されている。
【００７９】
これにより店員は、カード挿入スライド溝５０の左側端部にカード７７を差し込むだけで、カード７７の下端辺をカード挿入スライド溝５０の底部に沿った直線状に保つことができ、カード挿入スライド溝５０に対しカード７７を正しい姿勢で容易にスライドさせることができる。
【００８０】
ここで、店員はカード挿入スライド溝５０にカード７７をカード挿入スライド溝５０に沿って、左から右へスライドさせながらカード７７の磁気帯部分のデータ領域と端末４０の読取ヘッドとの間でデータの授受を行う、あるいはカードに仕込まれたＩＣチップのメモリモジュールと読取ヘッドとの間でデータの授受を行う。このとき一般に店員は、端末４０の読取ヘッドとカード７７との間で、データの読み取り損じや、書き込み損じがないように、やや力を込めてカード７７をカード挿入スライド溝５０に差込み、溝５０に平行して左から右へスライドさせる。
【００８１】
一方、顧客のカード７７に対する取り扱い状態は様々であるが、中にはカード７７を剥き出しままポケットや手提げ袋の中にいれている顧客もある。そうするとカード７７に汚れが付着しているから、この汚れが経時的にカード案内溝１７を傷つける。
【００８２】
カード案内溝１７に傷が付くと、汚れが付着しやすく、傷の場所に一端汚れが付くと容易に取れ難い。クレードル１０の他の部分は常日頃の店員の手入れで磨かれて綺麗であり、常に顧客の眼前で操作することになっているクレードル１０にとっては、カード案内溝１７の一点だけ汚れがあるのは顧客に目立ちやすい。
【００８３】
カード案内溝１７に傷や汚れや目立つと、顧客の目には、あたかも使い古しのクレードル１０を磨いて使っているように見える。実際にはそうであっても、十分使用できるクレードル１０を新品に変えるのは業務上無益なことである。
【００８４】
本例のクレードル１０のカード案内溝１７には、前述したように、カード案内溝１７の前後、つまり２本のリブ７８の前後に、カード案内溝１７に平行して形成されたそれぞれ１本のリブ７９が形成されている。そして、これらそれぞれ１本のリブ７９と上記２本のリブ７８の外側とで形成される飾り溝１８が形成されている。
【００８５】
顧客の目には、これら合計４本のリブ７８及び７９と３本の溝が全体で飾りのように見えるので、飾り溝１８にまぎれて、本溝であるカード案内溝１７の傷や汚れが目立たなくなる。これにより、顧客の目には、常に清掃の行き届いたクレードル１０が目の前に置かれているように見え、窓口業務への顧客の信頼感を維持することができる。
【産業上の利用可能性】
【００８６】
本発明は、小型電子端末装置を載置した受け台内部に外付けのＡＣ／ＤＣアダプタを折り畳んだＤＣ電源給電配線と共に収納する拡張自在な収納部を備え、加えて外観上の傷や汚れをが目立たない様にする飾りを備えたクレードルに利用することができる。
【符号の説明】
【００８７】
１  クレードル
２  ＡＣ／ＤＣアダプタ
３  机上
４  電源受電配線
５  電源給電配線
１０  クレードル
１１  内側本体
１２  前面
１３  側面
１４  側面部カバー
１５  載置部
１５ａ  前方載置部
１５ｂ  中央載置部
１５ｃ  後方載置部
１６  カード案内部
１７  カード案内溝
１８  飾り溝
１９  立設型位置決め板
２１  張出型位置決め板
２２  位置決めリブ
２３  載置部補強凸条
２４  凹部
２５  囲い壁
２５ａ  側面
２６  位置決めリブ
２７  リセット用孔
２８  横囲い壁
２９  後囲い壁
３１、３２  凹部
３３  後部ストラップ逃げ部
３４  バネ性の電極端子
３５  滑り止め前脚
３５ａ  滑り止め部材
３６  案内ネジ
３７  滑り止め後脚
３８  プラグ孔蓋
３８ａ  フック
３８ｂ  表面下端部
３８ｃ  屈曲バネ
３８ｄ  フック
３９  止めネジ
４０  電子端末装置（端末）
４１  表示画面
４２  データ入力キー
４３  ストラップ孔
４４  位置決め係合穴
４５  端末側電極端子
４６  位置決め係合突部
４７  後端位置決めリブ
４８  抜き孔
４９  プラグ挿入孔
４９ａ  上縁
４９ｂ  下縁
５０  カード挿入スライド溝
５１  摺動長孔
５２  ワッシャ
５３  側面部カバー前部
５３ａ  内壁
５４  拡張収納空間
５５  抜き孔
５６  被覆板
５７  ビス孔
５８  隔壁
５９  ＲＳ２３２Ｃ受け側コネクタ
６１  ＬＡＮポート
６２  ＵＳＢ受け側コネクタ
６３  ピンプラグコンセント
６４  保持部材
６５  レール
６６  天井板
６７  補強リブ
６８  スライドカバー
６９  ＡＣ／ＤＣアダプタ
７１  ＤＣ電源給電配線
７２  固定用部材
７３（７３ａ、７３ｂ、７３ｃ、７３ｄ）  差込側コネクタ
７４（７４ａ、７４ｂ）  配線
７５  ＡＣ電源給電配線
７６  差込側メス型コネクタ
７７  カード
７８  ２本のリブ
７９  前後のリブ
【図１】
0005451654.tif 000002
【図２】
0005451654.tif 000003
【図３】
0005451654.tif 000004
【図４】
0005451654.tif 000005
【図５】
0005451654.tif 000006
【図６】
0005451654.tif 000007
【図７】
0005451654.tif 000008
【図８】
0005451654.tif 000009